(57)【要約】【課題】共通電圧を共通電極に安定して供給することができる表示装置を提供する。【解決手段】行方向に延在し、共通電極ＭＩＴに共通電圧を供給する共通配線ＣＭＴと、画像表示領域外で列方向に延在し、共通配線ＣＭＴに電気的に接続された第１の共通バスラインＣＭＢ１と、画像表示領域外で行方向に延在し、第１の共通バスラインＣＭＢ１に電気的に接続された第２の共通バスラインＣＭＢ２と、画像表示領域外で行方向に配列され、第２の共通バスラインＣＭＢ２に共通電圧を供給する接続配線ＣＭ２と、を備え、第２の共通バスラインＣＭＢ２は複数の分割配線ＣＭＬに分割され、第１の共通バスラインＣＭＢ１に近い第１の接続配線ＣＭ２に接続された第１の分割配線ＣＭＬの列方向の幅は、第１の共通バスラインＣＭＢ１から遠い第２の接続配線ＣＭ２に接続された第２の分割配線ＣＭＬの列方向の幅よりも小さい。【選択図】図１
2015079041.tif 000002
【特許請求の範囲】
【請求項１】
行方向に延在する複数のゲート信号線と、列方向に延在する複数のデータ信号線と、
画像表示領域において行方向及び列方向に形成された複数の画素領域と、
前記複数の画素領域のそれぞれに形成された、画素電極及び共通電極と、
行方向に延在し、前記共通電極に共通電圧を供給する複数の共通配線と、
前記画像表示領域外において、前記画像表示領域の列方向の外縁に沿って延在し、前記複数の共通配線に電気的に接続された第１の共通バスラインと、
前記画像表示領域外において、前記画像表示領域の行方向の外縁に沿って延在し、前記第１の共通バスラインに電気的に接続された第２の共通バスラインと、
前記画像表示領域外において、行方向に配列され、前記第２の共通バスラインに共通電圧を供給する複数の接続配線と、を備え、
前記第２の共通バスラインは、複数の切れ込みにより、複数の分割配線に分割されており、
前記複数の接続配線は、第１の接続配線と、該第１の接続配線よりも前記第１の共通バスラインから行方向に遠い位置に配置された第２の接続配線とを含み、
前記複数の分割配線は、前記第１の接続配線に接続された第１の分割配線と、前記第２の接続配線に接続された第２の分割配線とを含み、
前記第１の分割配線の列方向の幅は、前記第２の分割配線の列方向の幅よりも小さい、
ことを特徴とする表示装置。
【請求項２】
前記第１の分割配線と、前記第２の分割配線とは、Ｌ字状に形成されており、
前記第１の分割配線における前記第１の接続配線に接続される端部の行方向の幅と、前記第２の分割配線における前記第２の接続配線に接続される端部の行方向の幅とは、互いに等しい、
ことを特徴とする請求項１に記載の表示装置。
【請求項３】
前記複数の分割配線における、前記第１の共通バスラインに接続されるそれぞれの端部は、互いに連結されている、
ことを特徴とする請求項１又は２に記載の表示装置。
【請求項４】
前記第１の共通バスラインと、前記第２の共通バスラインとは、金属配線を介して互いに電気的に接続されている、
ことを特徴とする請求項１から３の何れか１項に記載の表示装置。
【請求項５】
前記第１の共通バスラインと、前記第２の共通バスラインとは、互いに異なる層に形成されている、
ことを特徴とする請求項１から４の何れか１項に記載の表示装置。
【請求項６】
前記第１の共通バスラインは、前記データ信号線と同一層に形成されており、前記第２の共通バスラインは、前記ゲート信号線と同一層に形成されている、
ことを特徴とする請求項５に記載の表示装置。
【請求項７】
前記第１の共通バスラインと、前記第２の共通バスラインと、前記共通電極とは、互いに同一層に形成されている、
ことを特徴とする請求項１から４の何れか１項に記載の表示装置。
【請求項８】
前記第１の共通バスラインは、前記画像表示領域の両側に１本ずつ配置されており、
前記第２の共通バスラインは、前記画像表示領域の行方向の中心線に対して線対称に配置されている、
ことを特徴とする請求項１から７の何れか１項に記載の表示装置。
【請求項９】
行方向に延在する複数のゲート信号線と、列方向に延在する複数のデータ信号線と、
画像表示領域において行方向及び列方向に形成された複数の画素領域と、
前記複数の画素領域のそれぞれに形成された、画素電極及び共通電極と、
行方向に延在し、前記共通電極に共通電圧を供給する複数の共通配線と、
前記画像表示領域外において、前記画像表示領域の列方向の外縁に沿って延在し、前記複数の共通配線に電気的に接続された第１の共通バスラインと、
前記画像表示領域外において、前記画像表示領域の行方向の外縁に沿って延在し、前記第１の共通バスラインに電気的に接続された第２の共通バスラインと、
前記画像表示領域外において、行方向に配列され、前記第２の共通バスラインに共通電圧を供給する複数の接続配線と、を備え、
前記第２の共通バスラインは、複数の分割配線により構成されており、
前記複数の分割配線それぞれが有する、前記第１の共通バスラインとの接続部から、前記接続配線との接続部までの配線抵抗は、互いに略等しい、
ことを特徴とする表示装置。
【発明の詳細な説明】
【技術分野】
【０００１】
本発明は、表示装置に関し、特には、共通電極に共通電圧を供給する配線に関する。
【背景技術】
【０００２】
各種表示装置のうち例えば液晶表示装置は、各画素領域に形成された画素電極と共通電極（コモン電極ともいう。）との間に発生する電界を液晶に印加して液晶を駆動させることにより、画素電極と共通電極との間の領域を透過する光の量を調整して画像表示を行う。共通電極には、外部回路から共通バスラインを介して共通電圧が供給される。
【０００３】
特許文献１には、共通電極に共通電圧を供給するための構成が開示されている。具体的には、特許文献１の液晶表示装置では、表示パネルの一側面側に共通バスラインが設けられ、共通バスラインに、ゲート信号線と同一方向に延在する各共通配線（対向電圧信号線）が接続されている。そして、外部回路から共通バスラインに供給された共通電圧は、各共通配線を介して各共通電極に供給される。
【先行技術文献】
【特許文献】
【０００４】
【特許文献１】特開２００５−１５７４０４号公報
【発明の概要】
【発明が解決しようとする課題】
【０００５】
しかしながら、特許文献１に開示された構成では、特に高精細な表示装置において、電力（共通電圧）を共通電極に安定して供給することが困難である。そして、所望の共通電圧を共通電極に安定して供給できない場合、表示品位が低下するという問題が生じる。
【０００６】
本発明は、上記実情に鑑みてなされたものであり、その目的は、共通電圧を共通電極に安定して供給することができる表示装置を提供することにある。
【課題を解決するための手段】
【０００７】
本発明に係る表示装置は、上記課題を解決するために、行方向に延在する複数のゲート信号線と、列方向に延在する複数のデータ信号線と、画像表示領域において行方向及び列方向に形成された複数の画素領域と、前記複数の画素領域のそれぞれに形成された、画素電極及び共通電極と、行方向に延在し、前記共通電極に共通電圧を供給する複数の共通配線と、前記画像表示領域外において、前記画像表示領域の列方向の外縁に沿って延在し、前記複数の共通配線に電気的に接続された第１の共通バスラインと、前記画像表示領域外において、前記画像表示領域の行方向の外縁に沿って延在し、前記第１の共通バスラインに電気的に接続された第２の共通バスラインと、前記画像表示領域外において、行方向に配列され、前記第２の共通バスラインに共通電圧を供給する複数の接続配線と、を備え、前記第２の共通バスラインは、複数の切れ込みにより、複数の分割配線に分割されており、前記複数の接続配線は、第１の接続配線と、該第１の接続配線よりも前記第１の共通バスラインから行方向に遠い位置に配置された第２の接続配線とを含み、前記複数の分割配線は、前記第１の接続配線に接続された第１の分割配線と、前記第２の接続配線に接続された第２の分割配線とを含み、前記第１の分割配線の列方向の幅は、前記第２の分割配線の列方向の幅よりも小さい、ことを特徴とする。
【０００８】
本発明に係る表示装置では、前記第１の分割配線と、前記第２の分割配線とは、Ｌ字状に形成されており、前記第１の分割配線における前記第１の接続配線に接続される端部の行方向の幅と、前記第２の分割配線における前記第２の接続配線に接続される端部の行方向の幅とは、互いに等しい、ことが好ましい。
【０００９】
本発明に係る表示装置では、前記複数の分割配線における、前記第１の共通バスラインに接続されるそれぞれの端部は、互いに連結されていてもよい。
【００１０】
本発明に係る表示装置では、前記第１の共通バスラインと、前記第２の共通バスラインとは、金属配線を介して互いに電気的に接続されていてもよい。
【００１１】
本発明に係る表示装置では、前記第１の共通バスラインと、前記第２の共通バスラインとは、互いに異なる層に形成されていてもよい。
【００１２】
本発明に係る表示装置では、前記第１の共通バスラインは、前記データ信号線と同一層に形成されており、前記第２の共通バスラインは、前記ゲート信号線と同一層に形成されていてもよい。
【００１３】
本発明に係る表示装置では、前記第１の共通バスラインと、前記第２の共通バスラインと、前記共通電極とは、互いに同一層に形成されていてもよい。
【００１４】
本発明に係る表示装置では、前記第１の共通バスラインは、前記画像表示領域の両側に１本ずつ配置されており、前記第２の共通バスラインは、前記画像表示領域の行方向の中心線に対して線対称に配置されていることが好ましい。
【００１５】
本発明に係る表示装置は、上記課題を解決するために、行方向に延在する複数のゲート信号線と、列方向に延在する複数のデータ信号線と、画像表示領域において行方向及び列方向に形成された複数の画素領域と、前記複数の画素領域のそれぞれに形成された、画素電極及び共通電極と、行方向に延在し、前記共通電極に共通電圧を供給する複数の共通配線と、前記画像表示領域外において、前記画像表示領域の列方向の外縁に沿って延在し、前記複数の共通配線に電気的に接続された第１の共通バスラインと、前記画像表示領域外において、前記画像表示領域の行方向の外縁に沿って延在し、前記第１の共通バスラインに電気的に接続された第２の共通バスラインと、前記画像表示領域外において、行方向に配列され、前記第２の共通バスラインに共通電圧を供給する複数の接続配線と、を備え、前記第２の共通バスラインは、複数の分割配線により構成されており、前記複数の分割配線それぞれが有する、前記第１の共通バスラインとの接続部から、前記接続配線との接続部までの配線抵抗は、互いに略等しい、ことを特徴とする。
【発明の効果】
【００１６】
本発明に係る表示装置の構成によれば、共通電圧は、複数の接続配線及び分割配線を介して、共通電極に供給される。また、複数の分割配線の配線抵抗を互いに略等しくすることができる。よって、共通電圧を共通電極に安定して供給することができる。
【図面の簡単な説明】
【００１７】
【図１】本発明の実施形態に係る液晶表示装置の全体構成を示す図である。
【図２】図１に示す液晶表示装置における１画素の平面図である。
【図３】図２に示す画素の３−３´切断線における断面図である。
【図４】図２に示す画素の４−４´切断線における断面図である。
【図５】第２の共通バスラインの構成を示す平面図である。
【図６】第２の共通バスラインの構成の一例を示す表である。
【図７】分割配線と接続配線との接続部の一例を示す断面図である。
【図８】分割配線と接続配線との接続部の他の例を示す断面図である。
【図９】第１の共通バスラインと第２の共通バスラインとの接続部の一例を示す断面図である。
【図１０】第１の共通バスラインと第２の共通バスラインとの接続部の他の例を示す断面図である。
【図１１】第２の共通バスラインの他の構成を示す平面図である。
【図１２】第２の共通バスラインの他の構成を示す平面図である。
【図１３】第２の共通バスラインの他の構成を示す平面図である。
【発明を実施するための形態】
【００１８】
本発明の実施形態について、図面を用いて以下に説明する。以下の実施形態では、液晶表示装置を例に挙げるが、本発明に係る表示装置は、液晶表示装置に限定されるものではなく、例えば有機ＥＬ表示装置等であってもよい。
【００１９】
図１は、本発明の実施形態に係る液晶表示装置の全体構成を示す図である。液晶表示装置ＬＣＤは、画像表示領域ＤＩＡと、画像表示領域ＤＩＡの周囲の駆動回路領域とからなる。画像表示領域ＤＩＡには、隣り合う２本のゲート信号線ＧＬと、隣り合う２本のデータ信号線ＤＬとで囲まれた画素領域が、行方向及び列方向にマトリクス状に複数配列されている。なお、ゲート信号線ＧＬが延在する方向を行方向、データ信号線ＤＬが延在する方向を列方向とする。
【００２０】
各画素領域には、画素電極ＰＩＴ及び共通電極ＭＩＴが形成されている。また、各画素領域における、ゲート信号線ＧＬ及びデータ信号線ＤＬの交差部近傍に、薄膜トランジスタＴＦＴが形成されている。画素電極ＰＩＴは、薄膜トランジスタＴＦＴを介してデータ信号線ＤＬに接続されており、共通電極ＭＩＴは、共通配線ＣＭＴに接続されている。共通配線ＣＭＴは、ゲート信号線ＧＬと同様に、行方向に延在して形成されており、各画素領域に設けられている。共通電極ＭＩＴは、画素領域毎に個別に形成されていてもよいし、画像表示領域ＤＩＡ全体にベタ状に形成されていてもよい。また、共通電極ＭＩＴには、各画素領域においてスリットが形成されていてもよい。
【００２１】
駆動回路領域には、データ線駆動回路ＳＤと、ゲート線駆動回路ＧＤと、共通電圧発生回路ＣＭＤと、制御回路（図示せず）とが設けられている。これら駆動回路は、表示パネル上に搭載されていてもよいし、表示パネル外に設けられた回路基板上に搭載されていてもよい。データ線駆動回路ＳＤは、等間隔に配置された複数のデータドライバＩＣを含んでおり、各データドライバＩＣには、複数のデータ信号線ＤＬが接続されている。ゲート線駆動回路ＧＤは、等間隔に配置された複数のゲートドライバＩＣを含んでおり、各ゲートドライバＩＣには、複数のゲート信号線ＧＬが接続されている。
【００２２】
共通電圧発生回路ＣＭＤには、行方向に延在する１本又は複数本の引出配線ＣＭ１が接続されており、引出配線ＣＭ１には、行方向に配列される複数の接続配線ＣＭ２のそれぞれの一端が接続されている。各接続配線ＣＭ２は、列方向に延在しており、平面的に見て、隣り合う２つのデータドライバＩＣの間の領域に配置されている。各接続配線ＣＭ２の他端には、第２の共通バスラインＣＭＢ２が接続されている。第２の共通バスラインＣＭＢ２は、画像表示領域ＤＩＡ外において、画像表示領域ＤＩＡの行方向の外縁に沿って延在している。また、第２の共通バスラインＣＭＢ２は、複数の分割配線ＣＭＬに分割されている。具体的には、第２の共通バスラインＣＭＢ２は、中央部（表示パネルの行方向の中心線ｃ）において、列方向の切れ込みにより左右に分割されている。さらに、左右に分割された第２の共通バスラインＣＭＢ２それぞれにおいて、行方向に配列され、列方向に異なる長さを有する複数の切れ込みと、これら切れ込みの各端部から行方向に異なる長さを有する複数の切れ込みとからなる、複数のＬ字状の切れ込みにより、複数のＬ字状の分割配線ＣＭＬに分割されている。また、中心線ｃに対して、左側領域に配置される複数の分割配線ＣＭＬ（図１では５本の分割配線ＣＭＬ）と、右側領域に配置される複数の分割配線ＣＭＬ（図１では５本の分割配線ＣＭＬ）とは、線対称に形成されている。各分割配線ＣＭＬは、各接続配線ＣＭ２に電気的に接続されている。すなわち、１本の接続配線ＣＭ２に対して、１本の分割配線ＣＭＬが電気的に接続されている。
【００２３】
第２の共通バスラインＣＭＢ２の側端部、すなわち左側領域の各分割配線ＣＭＬの左端部は、接続部において、表示パネルの左側面に形成された第１の共通バスラインＣＭＢ１ａに電気的に接続されている。また、右側領域の各分割配線ＣＭＬの右端部は、接続部において、表示パネルの右側面に形成された第１の共通バスラインＣＭＢ１ｂに電気的に接続されている。第１の共通バスラインＣＭＢ１ａ，ＣＭＢ１ｂは、画像表示領域ＤＩＡ外において、画像表示領域ＤＩＡの列方向の外縁に沿って延在している。第１の共通バスラインＣＭＢ１ａ，ＣＭＢ１ｂには、複数の共通配線ＣＭＴが電気的に接続されている。すなわち、各共通配線ＣＭＴは、左端が左側の第１の共通バスラインＣＭＢ１ａに電気的に接続されており、右端が右側の第１の共通バスラインＣＭＢ１ｂに電気的に接続されている。これにより、共通電圧発生回路ＣＭＤから出力された共通電圧は、引出配線ＣＭ１、接続配線ＣＭ２、第２の共通バスラインＣＭＢ２（複数の分割配線ＣＭＬ）、及び第１の共通バスラインＣＭＢ１（ＣＭＢ１ａ，ＣＭＢ１ｂ）を介して、各共通配線ＣＭＴに供給される。各共通配線ＣＭＴに供給された共通電圧は、各共通電極ＭＩＴに供給される。なお、表示パネルの両端側に配置される接続配線ＣＭ２は、第２の共通バスラインＣＭＢ２を介さずに第１の共通バスラインＣＭＢ１ａ，ＣＭＢ１ｂに接続されている。第２の共通バスラインＣＭＢ２の具体的な構成は後述する。
【００２４】
各画素領域では、アクティブマトリクス表示が行われる。具体的には、ゲート線駆動回路ＧＤからゲート信号線ＧＬへゲート電圧を供給し、データ線駆動回路ＳＤからデータ信号線ＤＬへデータ電圧を供給する。ゲート電圧による薄膜トランジスタＴＦＴのオン／オフによりデータ電圧を画素電極ＰＩＴに供給する。画素電極ＰＩＴに供給されたデータ電圧と、共通電圧発生回路ＣＭＤから共通電極ＭＩＴに供給された共通電圧との差により生じる電界で液晶層ＬＣを駆動することにより、各画素領域における光の透過率を制御して画像表示を行う。なお、カラー表示を行う場合は、縦ストライプ状のカラーフィルタで形成された赤（Ｒ）色、緑（Ｇ）色、青（Ｂ）色に対応するそれぞれの画素領域の画素電極ＰＩＴに接続されたデータ信号線ＤＬ（Ｒ）、ＤＬ（Ｇ）、ＤＬ（Ｂ）に所望のデータ電圧を印加することにより実現される。
【００２５】
図２は、１つの画素領域の構成を示す平面図である。図２では、背面側のＴＦＴ基板ＳＵＢ２の平面パターンを示している。図３は、図２の３−３´切断線における断面図であり、図４は、図２の４−４´切断線における断面図である。
【００２６】
液晶表示装置ＬＣＤは、表示面側のＣＦ基板ＳＵＢ１と、背面側のＴＦＴ基板ＳＵＢ２と、これら両基板に挟持された液晶層ＬＣとを含んでいる。
【００２７】
ＴＦＴ基板ＳＵＢ２では、ガラス基板ＧＢ２上に形成されたゲート信号線ＧＬを覆うようにゲート絶縁膜ＧＳＮが形成され、ゲート絶縁膜ＧＳＮ上に半導体層ＳＥＭが形成されている。半導体層ＳＥＭ上には、データ信号線ＤＬと薄膜トランジスタＴＦＴのソース電極ＳＭとが形成されている。これらデータ信号線ＤＬとソース電極ＳＭとを覆うように絶縁膜ＰＡＳが形成され、絶縁膜ＰＡＳ上に有機絶縁膜ＯＲＧが形成されている。
【００２８】
半導体層ＳＥＭからデータ電圧を取り出すソース電極ＳＭ上において、絶縁膜ＰＡＳ及び有機絶縁膜ＯＲＧにコンタクトホールＣＯＮＴが形成されている。有機絶縁膜ＯＲＧ上及びコンタクトホールＣＯＮＴ内には、画素電極ＰＩＴが形成されている。画素電極ＰＩＴを覆うように上層絶縁膜ＵＰＡＳが形成され、上層絶縁膜ＵＰＡＳ上には、平面的に見て（表示面側から見て）、ゲート信号線ＧＬに重なるように共通配線ＣＭＴが形成されている。共通配線ＣＭＴは、ゲート信号線ＧＬと同一方向（行方向）に延在している。
【００２９】
図３に示すように、共通配線ＣＭＴ上には、共通電極ＭＩＴの一部が重なるように形成されており、これにより共通配線ＣＭＴと共通電極ＭＩＴとは互いに電気的に接続されている。なお、上層絶縁膜ＵＰＡＳ上に共通電極ＭＩＴが形成され、共通電極ＭＩＴ上に共通配線ＣＭＴが形成されていてもよい。図２に示すように、共通電極ＭＩＴには、１画素領域内でスリット（開口部）が形成されている。共通電極ＭＩＴのスリットの形状は、特に限定されず、細長形状であってもよいし、矩形状、楕円状等であってもよい。なお、図３に示す有機絶縁膜ＯＲＧは、省略されていてもよい。共通電極ＭＩＴ上には、配向膜ＡＬ２が形成されている。
【００３０】
ＣＦ基板ＳＵＢ１において、ガラス基板ＧＢ１上にブラックマトリクスＢＭ及び着色部ＣＦが形成され、これらを覆うようにオーバーコート層ＯＣが形成されている。オーバーコート層ＯＣ上には、配向膜ＡＬ１が形成されている。
【００３１】
液晶層ＬＣには、電界方向に沿って液晶分子の長軸が揃うポジ型の液晶分子ＬＣＭ（図４参照）が封入されている。ＣＦ基板ＳＵＢ１及びＴＦＴ基板ＳＵＢ２の外側には、偏光板ＰＯＬ１，ＰＯＬ２が貼付されている。
【００３２】
図２〜図４に示した構成によれば、本液晶表示装置ＬＣＤは、いわゆるＩＰＳ（In Plane Switching）方式の構成を有しているが、本発明に係る表示装置は、これに限定されない。また、画素電極ＰＩＴ及び共通電極ＭＩＴの積層位置は、上記構成に限定されない。例えば、有機絶縁膜ＯＲＧ上に共通配線ＣＭＴ及び共通電極ＭＩＴが形成され、共通配線ＣＭＴ及び共通電極ＭＩＴを覆うように上層絶縁膜ＵＰＡＳが形成され、上層絶縁膜ＵＰＡＳ上に画素電極ＰＩＴが形成されていてもよい。
【００３３】
上記のように、本液晶表示装置ＬＣＤでは、共通電圧発生回路ＣＭＤから出力された共通電圧が、複数の接続配線ＣＭ２及び複数の分割配線ＣＭＬを介して、共通電極ＭＩＴに供給される。ここで、共通電極ＭＩＴに電気的に接続される各配線には、配線抵抗が存在する。配線抵抗は、配線の太さが一定の場合、配線の長さ及び幅に依存する。そのため、例えば、第２の共通バスラインＣＭＢ２が、複数の分割配線ＣＭＬに分割されておらず１本の配線で形成されている場合には、第２の共通バスラインＣＭＢ２の配線抵抗は、第１の共通バスラインＣＭＢ１ａ，ＣＭＢ１ｂから接続配線ＣＭ２との接続部（接続端子）までの距離が短い部分ほど小さくなる。これにより、第２の共通バスラインＣＭＢ２と各接続配線ＣＭ２との接続端子のうち、第１の共通バスラインＣＭＢ１ａ，ＣＭＢ１ｂに近い接続端子に電流が集中し、該接続端子が焼損するおそれが生じる。
【００３４】
これに対して、本液晶表示装置ＬＣＤでは、第２の共通バスラインＣＭＢ２は、複数の分割配線ＣＭＬそれぞれの配線抵抗が均一となるように分割されている。これにより、各接続端子に供給される電流が均一化されるため、電流集中に伴う接続端子の焼損を防ぐことができる。よって、共通電圧を共通電極に安定して供給することができる。以下では、第２の共通バスラインＣＭＢ２における各分割配線ＣＭＬの具体的な構成について説明する。
【００３５】
図５は、第２の共通バスラインＣＭＢ２の構成を示す平面図である。図５では、第２の共通バスラインＣＭＢ２の左側領域における分割配線ＣＭＬ１〜ＣＭＬ５を示している。なお、図５には、分割配線ＣＭＬ１〜ＣＭＬ５と第１の共通バスラインＣＭＢ１ａとを接続する金属配線ＩＴＯ２（後述）も示している。第２の共通バスラインＣＭＢ２の右側領域における分割配線ＣＭＬは、分割配線ＣＭＬ１〜ＣＭＬ５と同様（線対称）の構成であるため説明を省略する。
【００３６】
第２の共通バスラインＣＭＢ２は、列方向及び行方向の切れ込みからなるＬ字状の切れ込みにより、分割配線ＣＭＬ１〜ＣＭＬ５に分割されている。各分割配線ＣＭＬ２〜ＣＭＬ５は、行方向の幅Ｌ１及び列方向の幅Ｗ１を有する列延伸部ＹＥと、行方向の幅Ｌ２及び列方向の幅Ｗ２を有する行延伸部ＸＥとで構成され、それぞれＬ字状の形状を有している。なお、分割配線ＣＭＬ１は、幅Ｌ２及び幅Ｗ２が０となっており、列延伸部ＹＥのみで構成されている。
【００３７】
各分割配線ＣＭＬ１〜ＣＭＬ５の幅Ｌ１は、互いに略等しくなっている。各分割配線ＣＭＬ１〜ＣＭＬ５は、それぞれ接続配線ＣＭ２に接続されている。接続配線ＣＭ２は、等間隔に配置されたデータドライバＩＣの間に配線されているため、該接続配線ＣＭ２のそれぞれと接続される各分割配線ＣＭＬ１〜ＣＭＬ５の幅Ｌ１も、互いに略等しいことが好ましい。なお、各分割配線ＣＭＬ１〜ＣＭＬ５の幅Ｌ１は、それぞれの幅Ｌ１の平均値との差が該平均値を基準として±１０％以内の範囲内であれば、略等しく設定されているものとする。また、各分割配線ＣＭＬ１〜ＣＭＬ５の幅Ｗ２は、列延伸部ＹＥの行方向の位置が第１の共通バスラインＣＭＢ１ａから遠ざかる程（行延伸部ＸＥの幅Ｌ２が大きくなる程）、大きくなっている。換言すると、各分割配線ＣＭＬ１〜ＣＭＬ５は、第１の共通バスラインＣＭＢ１ａから該分割配線に接続される接続配線ＣＭ２までの行方向の距離が遠いほど、列方向の幅Ｗ１，Ｗ２が大きくなっている。すなわち、複数の分割配線ＣＭＬのうち、第１の接続配線ＣＭ２に接続された第１の分割配線ＣＭＬと、該第１の接続配線ＣＭ２よりも第１の共通バスラインＣＭＢ１ａから行方向に遠い位置に配置された第２の接続配線ＣＭ２に接続された第２の分割配線ＣＭＬとに着目した場合、第１の分割配線ＣＭＬの列方向の幅Ｗ１，Ｗ２は、第２の分割配線ＣＭＬの列方向の幅Ｗ１，Ｗ２よりも小さくなっている。以上より、各分割配線ＣＭＬの幅Ｌ２及び幅Ｗ１，Ｗ２は、以下の関係式で表すことができる。
Ｌ２（ＣＭＬ１）＜Ｌ２（ＣＭＬ２）＜Ｌ２（ＣＭＬ３）＜Ｌ２（ＣＭＬ４）＜Ｌ２（ＣＭＬ５）
Ｗ１（ＣＭＬ１）＜Ｗ１（ＣＭＬ２）＜Ｗ１（ＣＭＬ３）＜Ｗ１（ＣＭＬ４）＜Ｗ１（ＣＭＬ５）
Ｗ２（ＣＭＬ１）＜Ｗ２（ＣＭＬ２）＜Ｗ２（ＣＭＬ３）＜Ｗ２（ＣＭＬ４）＜Ｗ２（ＣＭＬ５）
【００３８】
また、各分割配線ＣＭＬ１〜ＣＭＬ５の各幅Ｌ１，Ｌ２，Ｗ１，Ｗ２は、各分割配線ＣＭＬの配線抵抗Ｒが互いに略等しくなるように、以下の関係式を満たしている。なお、係数Ｃは、シート抵抗を示している。なお、各分割配線ＣＭＬ１〜ＣＭＬ５の各幅Ｌ１，Ｌ２，Ｗ１，Ｗ２は、各分割配線ＣＭＬの配線抵抗Ｒが互いに等しくなるように設定されていてもよいし、各分割配線ＣＭＬの配線抵抗Ｒと、各配線抵抗Ｒの平均値との差が、該平均値を基準として±１０％以内となるように設定されていてもよい。すなわち、各分割配線ＣＭＬの配線抵抗Ｒと、各配線抵抗Ｒの平均値との差が、該平均値を基準として±１０％以内の範囲内であれば、各分割配線ＣＭＬの配線抵抗Ｒは、互いに略等しいものとする。
Ｒ＝（Ｌ１／Ｗ１＋Ｌ２／Ｗ２）×Ｃ  ・・・（１）
【００３９】
図６には、各分割配線ＣＭＬ１〜ＣＭＬ５の各幅Ｌ１，Ｌ２，Ｗ１，Ｗ２の一例と、これに基づき算出された配線抵抗Ｒ（Ω）を示している。なお、図６では、上記式（１）において、係数Ｃを、銅（Ｃｕ）配線のシート抵抗として０．１（Ω／square）としている。また、隣り合う分割配線ＣＭＬ同士の間隔は、１５ｕｍとしている。図６に示すように、各分割配線ＣＭＬの配線抵抗Ｒと、各配線抵抗Ｒの平均値（＝１７．５２Ω）との差が該平均値を基準として±１０％（＝±１．７５）以内となっており、各分割配線ＣＭＬの配線抵抗Ｒが互いに略等しいことが分かる。
【００４０】
このように、本実施形態に係る液晶表示装置ＬＣＤによれば、各分割配線ＣＭＬにおける配線抵抗Ｒが互いに略等しいため、各共通電極ＭＩＴに印加される共通電圧を均一化することができる。また、各分割配線ＣＭＬにおける配線抵抗Ｒが互いに略等しいため、電流集中に伴う接続端子の焼損を防ぐことができる。具体的には、各分割配線ＣＭＬと各接続配線ＣＭ２との各接続部、及び、各分割配線ＣＭＬと各第１の共通バスラインＣＭＢ１ａ，ＣＭＢ１ｂとの各接続部に流れる電流が均一化されるため、電流集中による接続端子の焼損を防ぐことができる。そのため、共通電圧発生回路ＣＭＤから出力される共通電圧を共通電極ＭＩＴに安定して供給することができ、配線抵抗に起因する表示品位の低下を防ぐことができる。
【００４１】
上記接続部の断面構成の具体例を以下に示す。図７は、分割配線ＣＭＬと接続配線ＣＭ２との接続部を示す断面図である。図７に示す例では、分割配線ＣＭＬ及び接続配線ＣＭ２は、上層絶縁膜ＵＰＡＳ上に形成されており、分割配線ＣＭＬ及び接続配線ＣＭ２の端部を覆うＩＴＯ（酸化インジウムスズ）からなる金属配線ＩＴＯ１により電気的に接続されている。なお、図８に示すように、分割配線ＣＭＬ及び接続配線ＣＭ２が、ゲート層、すなわちガラス基板ＧＢ２上に形成されていてもよい。
【００４２】
図９は、第１の共通バスラインＣＭＢ１と、第２の共通バスラインＣＭＢ２（分割配線ＣＭＬ）との接続部を示す断面図である。図９に示す例では、第１の共通バスラインＣＭＢ１と第２の共通バスラインＣＭＢ２とは、上層絶縁膜ＵＰＡＳ上に形成されており、第１の共通バスラインＣＭＢ１と第２の共通バスラインＣＭＢ２との端部を覆うＩＴＯからなる金属配線ＩＴＯ２（図５参照）により電気的に接続されている。なお、図１０に示すように、第２の共通バスラインＣＭＢ２がゲート層（ガラス基板ＧＢ２上）に形成され（図８参照）、第１の共通バスラインＣＭＢ１がソース・ドレイン層（ゲート絶縁膜ＧＳＮ上）に形成されていてもよい。ここで、第１の共通バスラインＣＭＢ１と第２の共通バスラインＣＭＢ２とは、一体に形成されていてもよいが、図９及び図１０に示すように、分離して形成され、金属配線ＩＴＯ２を介して互いに電気的に接続されていることが好ましい。これにより、製造工程中に発生する静電気等による異常放電の影響を回避することができる。
【００４３】
図５に示した第２の共通バスラインＣＭＢ２では、各分割配線ＣＭＬ１〜ＣＭＬ５が分離して形成されているが、本発明はこれに限定されな。例えば、図１１に示すように、各分割配線ＣＭＬ１〜ＣＭＬ５の第１の共通バスラインＣＭＢ１側の端部が、互いに連結（例えば、一体形成）されていてもよい。これにより、分割配線ＣＭＬ１〜ＣＭＬ５と第１の共通バスラインＣＭＢ１ａ，ＣＭＢ１ｂとの接続部における電流集中を回避することができるため、電流集中による接続端子の焼損を防ぐことができる。第２の共通バスラインＣＭＢ２の端部の連結部分における行方向の幅は、例えば２５０ｕｍとすることができる。なお、図１１には、第１の共通バスラインＣＭＢ１と第２の共通バスラインＣＭＢ２とを接続する金属配線ＩＴＯ２も示している。
【００４４】
本発明は、上記実施形態に限定されない。例えば、画像表示領域ＤＩＡに最も近い位置に配置される分割配線ＣＭＬ５は、画像表示領域ＤＩＡ内の共通電極ＭＩＴに直接接続されていてもよい。この場合は、共通電極ＭＩＴに流れる電流が、図５に示す構成と比較して増加するため、図１２に示すように、分割配線ＣＭＬ５の幅Ｗ１，Ｗ２を、図５に示す構成における幅Ｗ１，Ｗ２（図１２の点線部）よりも小さくすることが好ましい。これにより、分割配線ＣＭＬ５の配線抵抗Ｒは、図５に示す構成における配線抵抗Ｒよりも大きくなる。そのため、共通電極ＭＩＴに印加される共通電圧を、図５に示す構成における共通電圧に近似させることができる。また、図１２の構成によれば、列方向の配線幅Ｗ１，Ｗ２を小さくすることができるため、狭額縁化を図ることができる。
【００４５】
図１３は、第２の共通バスラインＣＭＢ２の他の構成を示す平面図である。図１３に示す構成では、画像表示領域ＤＩＡに最も近い位置に配置される分割配線ＣＭＬ０が、行延伸部ＸＥのみで構成され、左側の第１の共通バスラインＣＭＢ１ａから右側の第１の共通バスラインＣＭＢ１ｂまで、行方向に直線状に延在している。また、分割配線ＣＭＬ０は、接続配線ＣＭ２とは分離しており、第２の共通バスラインＣＭＢ２の端部の連結部分を介して接続配線ＣＭ２に電気的に接続されている。さらに、分割配線ＣＭＬ０は、画像表示領域ＤＩＡ内の共通電極ＭＩＴに直接接続されている。
【００４６】
上記の実施形態においては、接続配線ＣＭ２と第１の共通バスラインＣＭＢ１とを互いに電気的に接続するための第２の共通バスラインＣＭＢ２を構成する複数の分割配線ＣＭＬについて、各分割配線ＣＭＬの行方向の幅Ｌ１，Ｌ２と列方向の幅Ｗ１，Ｗ２とを調整することにより、それぞれの配線抵抗を互いに略等しくしている。しかし、本発明はこれに限定されるものではない。各分割配線ＣＭＬのそれぞれの幅、長さ及び太さを略等しくすることにより、それぞれの配線抵抗を互いに略等しくしてもよい。例えば、第１の共通バスラインＣＭＢ１から行方向に近い位置に配置された接続配線ＣＭ２に接続された分割配線ＣＭＬは、迂回経路（図示せず）を経由して第１の共通バスラインＣＭＢ１に接続され、第１の共通バスラインから行方向に遠い位置に配置された接続配線ＣＭ２に接続された分割配線ＣＭＬは、迂回経路を経由せずに第１の共通バスラインＣＭＢ１に接続される構成とする。なお、迂回経路は、例えば、画像表示領域ＤＩＡ外の額縁領域に設けられる。これにより、それぞれの配線抵抗が互いに略等しくなる。また、各分割配線ＣＭＬの各幅Ｌ１，Ｌ２，Ｗ１，Ｗ２だけでなく、太さを異ならせることにより、それぞれの配線抵抗を互いに略等しくしてもよい。さらに、各分割配線ＣＭＬを構成する材料を異ならせることにより、それぞれの配線抵抗を互いに略等しくしてもよい。
【００４７】
以上、本発明の一実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００４８】
ＬＣＤ  液晶表示装置、ＤＩＡ  画像表示領域、ＳＤ  データ線駆動回路、ＧＤ  ゲート線駆動回路、ＣＭＤ  共通電圧発生回路、ＳＵＢ１  ＣＦ基板、ＳＵＢ２  ＴＦＴ基板、ＡＬ  配向膜、ＬＣ  液晶層、ＬＣＭ  液晶分子、ＰＯＬ  偏光板、ＧＬ  ゲート信号線、ＢＭ  ブラックマトリクス、ＧＳＮ  ゲート絶縁膜、ＰＡＳ  絶縁膜、ＯＲＧ  有機絶縁膜、ＵＰＡＳ  上層絶縁膜、ＤＬ  データ信号線、ＳＭ  ソース電極、ＳＥＭ  半導体層、ＭＩＴ  共通電極、ＰＩＴ  画素電極、ＣＭ１  引出配線、ＣＭ２  接続配線、ＣＭＬ  分割配線、ＣＭＢ１ａ，ＣＭＢ１ｂ  第１の共通バスライン、ＣＭＢ２  第２の共通バスライン、ＣＭＴ  共通配線、ＩＴＯ  金属配線、ＣＦ  着色部、ＯＣ  オーバーコート層、ＣＯＮＴ  コンタクトホール。
【図１】
2015079041.tif 000003
【図２】
2015079041.tif 000004
【図３】
2015079041.tif 000005
【図４】
2015079041.tif 000006
【図５】
2015079041.tif 000007
【図６】
2015079041.tif 000008
【図７】
2015079041.tif 000009
【図８】
2015079041.tif 000010
【図９】
2015079041.tif 000011
【図１０】
2015079041.tif 000012
【図１１】
2015079041.tif 000013
【図１２】
2015079041.tif 000014
【図１３】
2015079041.tif 000015